(57)【要約】      （修正有）【課題】治具による簡単な操作で、クッション材内等にあるワイヤから外すことができ、作業効率が良好な表皮材止着用クリップを提供する。【解決手段】係止爪１２が係止爪基部１４の上面１４ａ側に設けられ、フック１８は係止爪基部１４の下面１４ｂ側に設けられている。フック１８には、側方に突出しワイヤを内側に係止する爪状部１８ｃと、爪状部１８ｃの反対側に連続しフックをワイヤから外すための治具を係止する治具受け部２０を備える。治具受け部２０が治具を係止する位置は、フック１８がワイヤを係止する位置よりも係止爪１２側とは反対側であって、フック１８の側方に位置する。治具受け部２０の先端部が、係止爪１２の側方に位置し、ワイヤにフック１８が係止された状態で、治具受け部２０に治具を係止して上方に引くと、フックとワイヤとの係合が解除される。【選択図】図１
0003186511.tif 000002
【実用新案登録請求の範囲】
【請求項１】
表皮材（３２）の端縁に設けられた係止用端部材（４２）に係止する係止部（１１）と、クッション材（３０）の溝（３４）内に設置されたワイヤ（３６）に係止されるフック（１８）が設けられ、前記表皮材（３２）と前記クッション材（３０）を連結する表皮材止着用クリップ（１０）において、
前記フック（１８）は前記係止部（１１）の下方側に設けられ、前記フック（１８）には、側方に突出し前記ワイヤ（３６）を係止する爪状部（１８ｃ）と、前記爪状部（１８ｃ）の反対側に連続し前記フック（１８）を前記ワイヤ（３６）から外すための治具（４６）を係止する治具受け部（２０）が形成され、
前記治具受け部（２０）が前記治具（４６）を係止する位置は、前記フック（１８）が前記ワイヤ（３６）を係止する位置よりも前記係止部（１１）側とは反対側であって、かつ前記フック（１８）の側方に位置し、
前記ワイヤ（３６）に前記フック（１０）が係止された状態で、前記治具受け部（２０）に前記治具（４６）を係止して上方に引くと、前記表皮材止着用クリップ（１０）が前記ワイヤ（３６）の軸周りに回転し、前記フック（１８）の前記爪状部（１２）から前記ワイヤ（３６）が外れ、前記表皮材（３２）と前記クッション材（３０）の連結を解除可能に形成されたことを特徴とする表皮材止着用クリップ。
【請求項２】
前記係止部（１１）、前記前記フック（１８）、前記治具受け部（２０）は、合成樹脂による一体成形により形成されている請求項１記載の表皮材止着用クリップ。
【請求項３】
前記フック（１８）は、前記係止部（１１）から下方に延出する延出部（１８ａ）を有し、
前記治具受け部（２０）は、前記延出部（１８ａ）に対して平行に延び、その先端は、前記係止部（１１）の係止爪基部（１４）よりも上方側に位置し、前記治具受け部（２０）の先端と前記係止部（１１）との間に、前記治具（４６）が挿入される挿入口（２１）が形成されている請求項１又は２記載の表皮材止着用クリップ。
【請求項４】
前記フック（１８）は、前記係止部（１１）から下方に延出する前記延出部（１８ａ）と、この延出部（１８ａ）の先端から側方に屈曲して、前記係止部（１１）に向けて傾斜する爪状部（１８ｃ）と、前記延出部（１８ａ）の前記爪状部（１８ｃ）の延出方向と反対方向に向けて延出するフランジ部（１８ｂ）とを有し、このフランジ部（１８ｂ）は、その先端が前記係止部（１１）から離間する方向に傾斜して形成され、フランジ部（１８ｂ）の先端に前記治具受け部（２０）が設けられてなる請求項１又は２記載の表皮材止着用クリップ。
【請求項５】
前記治具受け部（２０）の前記延出部（１８ａ）に対向する内側面または前記延出部（１８ａ）の前記治具受け部（２０）に対向する内側面に係合突部（２４）を設けてなる請求項３又は４記載の表皮材止着用クリップ。
【請求項６】
前記係止爪（１２）から一体に延び、前記フック（１８）の前記爪状部（１８ｃ）の先端に対向するガイドレバー（２６）が設けられ、前記ガイドレバー（２６）は、前記フック（１８）の前記爪状部（１８ｃ）の先端よりも下方に延びて形成されてなる請求項３又は４記載の表皮材止着用クリップ。
【請求項７】
前記治具受け部（２０）と前記延出部（１８ａ）の間のＵ字状の溝の底部が前記治具（４６）を係止する治具保持空間（２５）であり、前記治具受け部（２０）の前記延出部（１８ａ）または前記延出部（１８ａ）の前記治具受け部（２０）に対向する内側面には係合突部（２４）が設けられ、前記係合突部（２４）と前記延出部（１８ａ）の間隔は、前記治具（４６）の係止部（５２ｂ）の外径よりも小さく設定され、
前記治具（４６）の前記係止部（５１ｂ）を前記延出部（１８ａ）と前記治具受け部（２０）の間に差し込むと、前記係合突部（２４）に当接し前記治具受け部（２０）が弾性変形して間隔広がり、前記係止部（５１ｂ）が前記係合突部（２４）を通過すると、前記係止部（５１ｂ）が前記係合突部（２４）に係止される請求項３又は４記載の表皮材止着用クリップ。
【考案の詳細な説明】
【技術分野】
【０００１】
この考案は、椅子や座席などの表面を覆う表皮材の止着に用いられる表皮材止着用クリップに関する。
【背景技術】
【０００２】
従来、室内で利用される椅子や車両の座席等では、座面や背当て等人体に触れる部分にクッション材や柔軟なパッドを設置し、その表面を表皮材で被覆したものが多用されている。このような表皮材の固定には様々な構造が採用されており、表皮材を固定しつつ外観的に隠蔽できる構造として、クッション材の溝内にワイヤを配置し、表皮材の裏側にクリップを配列し、これらのクリップをワイヤに係合させて表皮材を止着する構造が知られている。
【０００３】
例えば、特許文献１，２に開示されている止着用クリップは、表皮材に取り付けられた係止用端部材に係着させるチャック部と、クッション材の溝内に設けられたワイヤに掛けられて係止されるフック部とを有している。前記フック部は、互いに横並び状に対向配置されたガイドレバーとフックとを有し、これらの間にワイヤが差し込まれることで、ガイドレバーがフックとの間の隙間を広げるように外側に撓み、さらに差し込むと、同隙間内に差し込まれたワイヤにフックが掛けられて係止する構成となっている。
【０００４】
特許文献１の止着用クリップには、フック部の下端部に、ワイヤがかけられる部分と反対側に屈曲した形の治具掛部が形成されている。治具掛部は、一度取り付けた止着用クリップをワイヤから外す際に用いられるもので、ドライバー等の治具をその屈曲した治具掛部の溝形状内に差し込んで、フック材を外側に強制的に弾性変形させ、ガイド片との間の隙間を広げてワイヤを外すものである。
【０００５】
特許文献２の表皮材止着用クリップにも、フック部の長手方向の途中に、治具受け部が形成されている。この止着用クリップをワイヤから外すときは、治具受け部に操作用治具を挿入し、フックをワイヤに対して側方へずらしたり傾けたりすることで、フックとワイヤの係合を解除するものである。
【先行技術文献】
【特許文献】
【０００６】
【特許文献１】特開２０１２−２３５９１１号公報
【特許文献２】ＷＯ２０１２／０１７９８６号公報
【考案の概要】
【考案が解決しようとする課題】
【０００７】
上記背景技術の場合、止着用クリップを外すときに治具を治具掛部に差し込んで、側方へ平行移動させるようにずらしたりワイヤに対して傾けたりして、ワイヤからフックの係合を解除するもので、力のかけ方が難しくコツが必要であり、また力を加える方向を正確にする必要があり、熟練が必要で面倒なものである。特に、この治具は、上方に引き上げると治具掛部から容易に外れるため、治具を外さないように注意しながら横方向に力を加えて行うため、作業性が悪いものである。また、治具を横方向に移動したり傾けたりする時、周囲のクッション材が邪魔になり、クッション材を押して変形させなければならず、この点からも強い力が必要であり、作業時間がかかったり作業者の疲労が大きくなるものである。
【０００８】
この考案は、上記背景技術の問題点に鑑みてなされたものであり、治具による簡単な操作で、クッション材内等にあるワイヤから外すことができ、作業効率が良好な表皮材止着用クリップを提供することを目的とする。
【課題を解決するための手段】
【０００９】
本考案は、表皮材の端縁に設けられた係止用端部材に係止する係止部と、クッション材の溝内に設置されたワイヤに係止されるフックが設けられ、前記表皮材と前記クッション材を連結する表皮材止着用クリップであって、前記フックは前記係止部の下方側に設けられ、前記フックには、側方に突出し前記ワイヤを係止する爪状部と、前記爪状部の反対側に連続し前記フックを前記ワイヤから外すための治具を係止する治具受け部が形成され、前記治具受け部が前記治具を係止する位置は、前記フックが前記ワイヤを係止する位置よりも前記係止部側とは反対側であって、前記フックの側方に位置し、前記ワイヤに前記フックが係止された状態で、前記治具受け部に前記治具を係止して上方に引くと、前記表皮材止着用クリップが前記ワイヤの軸周りに回転し、前記フックの前記爪状部から前記ワイヤが外れ、前記表皮材と前記クッション材の連結を解除可能に形成された表皮材止着用クリップである。
【００１０】
前記係止部、前記係止爪基部、前記前記フック、前記治具受け部、及び前記ガイドレバーは、合成樹脂による一体成形により形成されているものである。
【００１１】
さらに、前記フックは、係止部から下方に延出する延出部を有し、前記治具受け部は、前記延出部に対して平行に延び、その先端は、前記係止部の係止爪基部よりも上方側に位置し、前記治具受け部の先端と前記係止部との間に、前記治具が挿入される挿入口が形成されているものである。
【００１２】
また、前記フックは、前記係止部から下方に延出する延出部と、この延出部の先端から側方に屈曲して、前記係止部に向けて傾斜する爪状部と、前記延出部の前記爪状部の延出方向と反対方向に向けて延出するフランジ部とを有し、このフランジ部は、その先端が前記係止部から離間する方向に傾斜して形成され、前記フランジ部の先端に前記治具受け部が設けられてなるものである。
【００１３】
さらに、前記治具受け部の前記延出部に対向する内側面または前記延出部の前記治具受け部に対向する内側面に係合突部を設けてなるものである。
【００１４】
また、前記係止爪から一体に延び、前記フックの前記爪状部の先端に対向するガイドレバーが設けられ、前記ガイドレバーは、前記フックの前記爪状部の先端よりも下方に延びて形成されてなるものである。
【００１５】
前記治具受け部と前記延出部の間のＵ字状の溝の底部が前記治具を係止する治具保持空間であり、前記治具受け部の前記延出部または前記延出部の前記治具受け部に対向する内側面には係合突部が設けられ、前記係合突部と前記延出部の間隔は、前記治具の係止部の外径よりも小さく設定され、前記治具の前記係止部を前記延出部と前記治具受け部の間に差し込むと、前記係合突部に当接し前記治具受け部が弾性変形して間隔広がり、前記係止部が前記係合突部を通過すると、前記係止部が前記係合突部に係止されるものである。
【考案の効果】
【００１６】
本考案の表皮材止着用クリップによれば、簡単な操作で治具によりワイヤから外すことができ、作業効率が良好である。特に、治具を上から差し込むだけで治具受け部に係止突起により係止され、差し込みやすく、外れることがなく、取り付けが容易である。そして、治具を引き上げるだけで表皮材止着用クリップがワイヤの軸周りに回転し、ワイヤはガイドレバーが弾性変形して広がった隙間から容易に外れ、簡単に係合を解除することができる。さらに、クッション材が邪魔にならずクッション材の溝内で操作することができるため、クッション材を押して変形する必要がなく、弱い力で効率よく作業を行うことができる。
【図面の簡単な説明】
【００１７】
【図１】この考案の一実施形態の表皮材止着用クリップの斜視図である。
【図２】この実施形態の表皮材止着用クリップの使用方法を示す斜視図である。
【図３】この実施形態の表皮材止着用クリップの使用方法を示す正面図である。
【図４】この実施形態の表皮材止着用クリップの使用方法を示す縦断面図である。
【図５】この実施形態の表皮材止着用クリップの使用方法を示す縦断面図である。
【図６】この実施形態の表皮材止着用クリップの使用方法を示す縦断面図である。
【図７】この実施形態の表皮材止着用クリップの係合を解除する治具を示す斜視図である。
【図８】この実施形態の表皮材止着用クリップの変形例を示す正面図である。
【考案を実施するための形態】
【００１８】
以下、この考案の実施形態について図面に基づいて説明する。なお、この表皮材止着用クリップ１０の説明にて、図２に図示の状態を基準として方向を示す用語を用いる。前後方向は、たとえば、後述するクッション材３０の溝３４の深部にあるワイヤ３６の延在方向に一致し、若しくは、表皮材の端縁が延びる方向に一致し、若しくは、後述する係止用端部材４２の端縁が延びる方向に一致する。上下方向は、前後方向に垂直な方向であり、クッション材３０の深さ方向に一致し、若しくは、クッション材３０上に張られた後述する表皮材３２の面に対して垂直な方向に一致し、若しくは、表皮材３２に縫着された係止用端部材４２が吊り下げられた方向に一致する。また、係止用端部材４２をクッション材３０の溝に挿入して、ワイヤ３６に係止する方向は上下方向に一致する。前後方向および上下方向に垂直な方向を左右方向とする。この左右方向に平行な方向を側方とも言う。
【００１９】
図１はこの考案の一実施形態を示すもので、この実施形態の表皮材止着用クリップ１０は、一対の係止爪１２を有し、係止爪１２は互いに対向して形成されるアーム部１２ｄとを有し、アーム部１２ｄの基端部（係止爪１２の基端部でもある）は係止爪基部１４の上面１４ａ（係止爪基部１４の一面とも言う）の両側から一体に形成され、係止爪１２は上面１４ａから図１において上方に突出し（以下、図１における上下を上下方向とする。）、上方へ行くにつれて互いの左右方向の間隔が広がるように形成されている。この係止爪１２と係止爪基部１４とで係止部１１が形成される。係止爪１２の先端部１２ａはそれぞれ内側、つまり互いに向かい合って近づく方向に向けて屈曲されている。先端部１２ａは、それぞれ係止爪基部１４と対向し、かつ係止用端部材４２に係止する係止面１２ｂを有し、係止面１２ｂは、係止爪基部１４の上面１４ａとほぼ平行に形成されている。この一対の係止爪１２と係止爪基部１４とで囲まれる空間に、後述する係止用端部材４２が収容されて係止される。
【００２０】
一対の係止爪１２のアーム部１２ｄの互いに対向する内側面１２ｃには、ストッパ１６が設けられている。ストッパ１６は、係止爪１２の互いに向かい合う方向に交差する厚み方向（前後方向とも言う）の中間の位置に設けられた突条であり、係止爪１２の係止面１２ｂから始まり内側面１２ｃに沿って係止爪基部１４の上面１４ａに達し、内側面１２ｃおよび係止爪基部１４の上面と同様に略Ｕ字形となっている。ストッパ１６の厚み方向の幅は、係止面１２ｂに近い部分が一番狭く、その下に連続する内側面１２ｃと上面１４ａの境界部分が一番広く、上面１４ａの中心部分がその中間の幅に形成されている。
【００２１】
係止爪基部１４の、上面１４ａと反対側の下面１４ｂ（係止爪基部１４の他面とも言う）には、フック１８が設けられている。フック１８は、下面１４ｂの、一対の係止爪１２が向かい合う方向の一方の端部に設けられ、下面１４ｂに対してほぼ直角に下方に延出する延出部１８ａと、延出部１８ａの先端から図３における左方向に屈曲して、係止爪基部１４に向けて上方に向くように傾斜する、爪状部１８ｃとを有する。爪状部１８ｃの先端部は爪状部１８ｃの傾斜の角度よりも上下方向に近づくような傾斜に形成され、先端が細く形成されている。この爪状部１８ｃの延出方向と反対方向（図３の右方向）に向けて延出するフランジ部１８ｂを有する。フランジ部１８ｂは、その先端が下方に向くように傾斜している。
【００２２】
フック１８のフランジ部１８ｂの、爪状部１８ｃと反対側の端部には、後述する治具４６を受ける治具受け部２０が設けられている。治具受け部２０は、フランジ部１８ｂの端部から延出部１８ａに対して間隔をあけてほぼ平行に係止爪１２側に延びて、先端部２０ａが係止爪１２の先端部１２ａよりも少し低い位置に達して、係止爪１２の側方に位置する板状の部材である。つまり、治具受け部２０は、フック１８の延出部１８ａに対して平行に延び、その先端は、係止爪基部１４よりも係止部１１側に位置している。治具受け部２０の先端と係止部１１との間に、治具４６が挿入される挿入口２１が形成され、その挿入口２１から連続し、延出部１８ａとフランジ部１８と、治具受け部２０とで囲まれて治具４６が挿通される溝部１９を形成する。治具受け部２０とフック１８の延出部１８ａの間のＵ字状の溝部１９の底部（フランジ部１８の上面）が、治具４６を係止する治具保持空間２５である。治具保持空間２５は、延出部１８ａとフランジ部１８と治具受け部２０と後述する係合突部２４とで囲まれ、治具４６の係止部５２ｂが係止される。治具受け部２０は、係止爪基部１４の近傍で、係止爪１２の上方の外側に向かう傾斜に対して平行にわずかに折り曲げられた折曲部が設けられている。治具受け部２０の折曲部の外側面（右側側面）には、治具受け部２０の長手方向に沿うリブ２２が設けられている。治具受け部２０のフック１８の延出部１８ａに対向する内側面（治具４６が挿通される溝部１９と反対側面）には、フランジ部１８ｂの近傍に係合突部２４が設けられている。係合突部２４は、延出部１８ａに向かって三角形状に形成された突条であり、下方に向かうに従って延出部１８ａに近づくように突出している。つまり、係合突部２４は、フランジ部１８ｂに近い面は、治具受け部２０の延出方向に対してほぼ直角に位置し、フランジ部１８ｂと反対側の面は治具受け部２０の延出方向に対して鈍角に交差している。これにより、治具４６の係止部５２ｂが溝部１９に挿入された際に、係止部５２ｂが鈍角に交差する面を乗り越えることで係合突部２４に係合する。治具４６の係止部５２ｂは、表皮材用クリップに係止した状態にて、上下方向と左右方向で形成される面での断面において、円形をしており、治具受け部２０の前後方向の寸法よりも長い棒状、つまり円柱状であり、その円柱状の係止部５２ｂの両端部にて支持部５２ａで保持部４８に連結されて治具４６を形成する。係合突部２４に係止部５２ｂが係止した状態で、係止部５２ｂは治具保持空間２５内で回転可能である。
【００２３】
一対の係止爪１２のうち、治具受け部２０が形成される側の係止爪１２と反対側の１個には、その係止爪１２と一体にガイドレバー２６が設けられている。ガイドレバー２６は、係止爪１２の突出方向の中間付近に設けられ、湾曲しながら下方に延出しフック１８の爪状部１８ｃの側方を通過してフランジ部１８ｂの下端部付近の横に達している。ガイドレバー２６は、係止爪１２のアーム部１２ｄの下方の内側に向かう傾斜に対して平行に延出し、フック１８の爪状部１８ｃの近傍で、外側に向かってわずかに折り曲げられた折曲部２６ａが設けられている。ガイドレバー２６のフック１８に対向する内側面には、爪状部１８ｃの延長線上よりわずかに上方に位置する部分に係止突起２８が設けられている。係止突起２８は、爪状部１８ｃに向かって三角形状に形成されている。なお、係止爪基部１４の下面１４ｂには、ガイドレバー２６に向かって延びるガイド突起２９が形成されている。
【００２４】
次に、この実施形態の表皮材止着用クリップ１０の使用方法について図２〜図４に基づいて説明する。表皮材止着用クリップ１０は、図２〜図４に示すように、車両用の座席のクッション材３０の表面の所定位置に表皮材３２を張るために用いられる。
【００２５】
ここで、クッション材３０と表皮材３２について説明する。クッション材３０は、座席の形状に成形された発泡ポリウレタン等の合成樹脂フォーム材である。クッション材３０には表皮材止着用の溝３４が形成され、溝３４内には、ワイヤ３６が設置されている。ワイヤ３６は金属製の線材であり、クッション材３０の成形時にインサート方式で組み込むことができる。
【００２６】
表皮材３２は、クッション材３０の表面を覆う合成樹脂シート等であり、クッション材３０の溝３４に対応する部位に縫合部３８を有する。縫合部３８は、一対の表皮材３２端縁を中表となるように合わせ、係止用テープ４０を重ね合わせて縫合したものである。係止用テープ４０の、縫合部３８と反対側の辺縁には、係止用端部材４２が一体に設けられている。係止用端部材４２は、合成樹脂により成形され、断面形状が略Ｖ字状で係止用テープ４０の長手方向に沿って形成されている。係止用端部材４２は、係止用テープ４０の一方の辺縁をインサート成型することで係止用テープ４０に装着される。係止用端部材４２は、表皮材止着用クリップ１０の一対の係止爪１２の内側に嵌合される大きさであり、係止用テープ４０の長手方向に沿って等間隔に係止溝４４が形成されている。係止溝４４は、表皮材止着用クリップ１０のストッパ１６が差し込まれる幅と深さに設定されている。
【００２７】
クッション材３０に表皮材３２を張る時、表皮材３２に取り付けられた係止用テープ４０の係止用端部材４２の任意の位置に、表皮材止着用クリップ１０を取り付ける。表皮材止着用クリップ１０は、係止用端部材４２の長手方向に沿って複数個が互に等間隔に取り付けられる。表皮材止着用クリップ１０は、一対の係止爪１２の間に係止用端部材４２を押し込むと、一対の係止爪１２が弾性変形して広がり、係止用端部材４２が通過する。通過すると係止爪１２の弾性変形が復元し、一対の係止爪１２の先端部１２ａが係止用端部材４２の縫合部３８側の端部を覆い、係止用端部材４２が一対の係止爪１２間に嵌合され、抜けることがない。この時、係止用端部材４２の係止溝４４には、係止爪１２のストッパ１６が差し込まれ、表皮材止着用クリップ１０は、係止用端部材４２の長手方向に移動することがなく、所定の位置で止まる。
【００２８】
そして、表皮材止着用クリップ１０を取り付けた表皮材３２の縫合部３８を、目的のクッション材３０の溝３４に一致させ、表皮材止着用クリップ１０のフック１８をワイヤ３６に当てて押す。ワイヤ３６はフック１８のフランジ部１８ｂに当たり、フランジ部１８ｂの傾斜に沿って爪状部１８ｃとガイドレバー２６の間の隙間に移動し、この隙間はワイヤ３６の直径よりも小さく、そのままではワイヤ３６が通過できない。さらに、表皮材止着用クリップ１０を上方から押しつけると、ガイドレバー２６とフック１８が弾性変形して広がり、隙間がワイヤ３６の直径よりも広がった時、ワイヤ３６がガイドレバー２６の係止突起２８を乗り越えて隙間を通過して、爪状部１８ｃ、係止爪基部１４、ガイドレバー２６で囲まれた空間に入る。ワイヤ３６が通過した後、ガイドレバー２６の弾性変形が復元し、隙間が狭い状態に戻り、ワイヤ３６が抜けることを防ぐ。
【００２９】
なお、ガイドレバー２６は、係止爪１２の途中から基端部が湾曲して設けられているため、ガイドレバー２６と係止爪１２との間にＵ字状の窪みが形成され、ワイヤ３６が誤ってこの窪みに入り込んでしまう可能性がある。しかし、この窪みを塞ぐように下面１４ｂにガイド突起２９が設けられているため、ワイヤ３６が誤って入り込むことを防止できる。さらに、ガイドレバー２６と爪状部１８ｃの隙間を通過してきたワイヤ３６を円滑に爪状部１８ｃの内側に導入する。これにより、表皮材止着用クリップ１０がワイヤ３６に係止され、表皮材止着用クリップ１０に取り付けられた表皮材３２は、クッション材３０の表面に、溝３４に潜り込む状態で取り付けられる。
【００３０】
表皮材止着用クリップ１０をワイヤ３６から外すときは、図７に示す治具４６を使用する。ここで、治具４６について説明する。治具４６は、一方向に長い棒状の保持部４８が設けられ、保持部４８の一方の端部４８ａに、細い四角柱状の差込部５０が設けられている。差込部５０は、保持部４８の長手方向に平行に側方に突出し、突出する方向に交差する断面形状は一方向に長い長方形である。差込部５０の先端部には、係止部材５２が設けられている。係止部材５２は、差込部５０の長方形の短い辺の近傍に取り付けられる一対の棒状の支持部５２ａと、一対の支持部５２ａの先端同士を結ぶ棒状の係止部５２ｂが設けられている。係止部５２ｂは断面円形の円柱状であることが好ましいが、真円である必要はなく、楕円や三角形やそれ以上の多角形であってもよい。一対の支持部５２ａを結ぶ係止部５２ｂの方向は、表皮材止着用クリップ２０に治具４６が係止した状態にて、表皮材用止着用クリップ２０がワイヤ３６に係止した状態でのワイヤ３６の延びる方向に一致し、もしくは、表皮材止着用クリップ２０の前後方向に一致する。また、一対の支持部５２ａの間隔は、治具受け部２０の前後方向の寸法よりも大きく形成され、かつ係止部５２ｂと差込部５０の先端との寸法は、治具受け部２０の溝部１９の深さよりも長く形成される。これにより、治具４６の係止部５２ｂが治具保持空間２５に係止した状態で、表皮材止着用クリップ２０が係止部５２ｂを中心に回転するときに、支持部５２ａに干渉することなく、円滑に回転し、ワイヤ３６から外すことができる。差込部５０は、係止部５２ｂに交差する一方向に緩やかに湾曲している。
【００３１】
表皮材止着用クリップ１０をワイヤ３６から外すとき、治具４６を、図５に示すようにクッション材３０の溝３４の、表皮材止着用クリップ１０の治具受け部２０側に差し込み、係止爪１２と治具受け部２０の間に係止部材５２が平行となるように差し込んで押しつける。すると、治具４６の係止部材５２の係止部５２ｂが、治具受け部２０の係合突部２４に当接し、さらに押しつけると治具受け部２０が弾性変形して広がり、この時、リブ２２があることで、側方への力が治具受け部２０の基端部まで十分に伝達される。そして係止部材５２の係止部５２ｂが通過すると治具受け部２０の形状は復元し、係止部５２ｂは係合突部２４の下方に入れられて出ることがない。この時、フック１８のフランジ部１８ｂは治具受け部２０側が低くなっているため、治具受け部２０が係止部５２ｂを係止する位置は、フック１８がワイヤ３６を係止する位置よりも下方であり、フック１８が前記ワイヤを係止する位置の垂直方向の下方から右方向に外れた側方にある。
【００３２】
次に、治具４６を引き上げる。ここで、治具４６を引き上げる方向は、表皮材止着用クリップ１０の上下方向に一致し、クッション材３０の溝３４の深さ方向にも一致する。クッション材３０の溝３４の深さ方向の底面から、係止用端部材４２が溝３４に挿入される方向と反対方向と、ここでの治具４６の引き上げる方向は一致する。治具４６を引き上げる時、図６に示すように治具４６の係止部５２ｂは治具受け部２０内の治具保持空間２５に保持されて外れないため、表皮材止着用クリップ１０には、係止部５２ｂの動きに伴ってワイヤ３６を中心に回転するようにモーメントが作用する。ワイヤ３６は、フック１８の爪状部１８ｃとガイドレバー２６の係止突起２８にガイドされて、ガイドレバー２６と爪状部１８ｃの隙間に位置し、更に表皮材止着用クリップ１０を引き上げると、ワイヤ３６がガイドレバー２６の係止突起２８に当たり、ガイドレバー２６が開く方向に力が作用する。これにより、ガイドレバー２６が弾性変形し、やがてワイヤ３６がガイドレバー２６と爪状部１８ｃとの間を通過して、表皮材止着用クリップ１０はワイヤ３６から外れる。これにより、表皮材３２がクッション材３０から外れる。治具４６は、治具受け部２０のフック１８の延出部１８ａに係止されているため、表皮材止着用クリップ１０をワイヤ３６から外した後も治具受け部２０に係止された状態であるが、治具受け部２０を外側に開くことにより容易に手で外すことができる。従って、治具４６が治具受け部２０に係止される力は、ワイヤ３６がフック１８に係止される力よりも強いが、手で容易に外すことができるものとする。
【００３３】
この実施形態の表皮材止着用クリップ１０によれば、クッション材３０のワイヤ３６に係止して、クッション材３０に表皮材３２を確実に取り付けることができる。また、簡単な操作で治具４６により表皮材止着用クリップ１０をワイヤ３６から外すことができ、作業効率が良い。表皮材止着用クリップ１０をワイヤ３６から外す際は、治具４６を、上方から係止爪１２と治具受け部２０の間に差し込むだけで係合突部２４に係止され、差し込みやすく外れることがなく、取り付けが容易である。そして治具４６を一方向に引き上げるだけで表皮材止着用クリップ１０がワイヤ３６の軸周りに回転し、ワイヤ３６が、ガイドレバー２６が弾性変形して広がった隙間から容易に外れ、簡単に係合を解除することができる。従って、特定の方向にひねる等の難しい操作が不要であり、誰にでも簡単に行うことができる。
【００３４】
その他、この実施形態の表皮材止着用クリップ１０は、治具４６の操作に際して、クッション材３０が邪魔にならず、クッション材３０の溝３４内で簡単に操作することができるため、クッション材３０を押して変形させ、治具４６が見えるようにする必要がなく、弱い力で効率よく作業を行うことができる。治具受け部２０は係止爪１２と平行に設けられているため、治具４６を差し込みやすく、この点からも作業効率が良い。
【００３５】
係止爪１２にはストッパ１６が設けられ、ストッパ１６が係止用端部材４２の係止溝４４に差し込まれることにより、表皮材止着用クリップ１０は所定の位置に係止され、係止用テープ４０の長手方向に移動することがない。このため、表皮材３２がクッション材３０に対してずれることがなく、表皮材３２にしわやたるみが発生せず、きれいに取り付けることができ外観が良好となる。係止用端部材４２には係止溝４４が等間隔に設けられていることで柔軟性が高くなり、作業が容易となる。
【００３６】
また、ガイドレバー２６は途中に折曲部が設けられ、これによりガイドレバー２６の長さを増やすことができ、弾性変形による撓みやすさが得られるようになっている。ガイドレバー２６は係止爪１２に接続されているため、係止爪基部１４に接続される場合よりも長さを増やすことができる。このため、同じ材質と同じ断面形状であってもガイドレバー２６の弾性変形が容易であり、ワイヤ３６の通過が容易となる。
【００３７】
フック１８は係止爪１２の係止爪基部１４に接続されるため、ワイヤ３６からフック１８、係止爪１２、係止用端部材４２、係止用テープ４０、表皮材３２にいたる止着の荷重伝達経路は直線的にすることができ、表皮材３２の確実な止着を行うことができる。係止爪基部１４の下面１４ｂには、ガイドレバー２６に向かって延びるガイド突起２９が形成されているため、ガイドレバー２６の接続部近傍と係止爪１２との間に窪み形状が生じても、ガイド突起２９によりワイヤ３６をガイドすることで、ワイヤ３６が窪み形状へ誤侵入することを防止することができる。
【００３８】
なお、この実施形態の表皮材止着用クリップ１０は、治具受け部２０に設けられている係合突部２４が、フック１８に設けられてもよい。図８に示す表皮材止着用クリップ５４は、フック１８の、延出部１８ａの、治具受け部２０に対向する内側面に、フランジ部１８ｂの近傍に係合突部５６が設けられている。係合突部５６は、治具受け部２０に向かって三角形状に形成された突条であり、フランジ部１８ｂに近い面は、フック１８の延出方向に対してほぼ直角に位置し、フランジ部１８ｂと反対側の面はフック１８の延出方向に対して鈍角に交差している。フランジ部１８ｂは、延出部１８ａに対してほぼ直角に連続しているが、爪状部１８ｃの外側面の傾斜を長く設けることで、ワイヤ３６を爪状部１８ｃとガイドレバー２６の間に導く。
【００３９】
この実施形態の表皮材止着用クリップ５４によれば、表皮材止着用クリップ１０と同様の効果を有するものであり、治具４６を係止爪１２と治具受け部２０の間に差し込むだけで係止突起５６に係止され、差し込みやすく外れることがなく、取り付けが容易である。そして治具４６を引き上げるだけで表皮材止着用クリップ１０がワイヤ３６の軸周りに回転し、ワイヤ３６はガイドレバー２６が弾性変形して広がった隙間から容易に外れ、簡単に係合を解除することができる。
【００４０】
なお、この考案の表皮材止着用クリップは、上記実施の形態に限定されるものではなく、細部形状や寸法等、適宜変更することができる。表皮材止着用クリップの材質や表面の仕上げ、色彩等は自由に選択することができる。表皮材止着用クリップは、一対の係止爪の互いに向かい合う方向に交差する厚み方向の幅は、係止爪と係止爪基部を比較的広くし、フックと治具受け部、ガイドレバーは比較的狭くしたが、これらは同じ幅であってもよく、或いは逆でもよい。ただし、ガイドレバーや治具受け部は、変形性能を確保するために幅を狭くする方が好適である。係止爪の先端部を面取りした形状に形成したが、矩形状でもよい。ただし、面取りした形状により係止用端部材との引っ掛かりを軽減することができる。治具受け部に設けられたリブは、適宜省略してもよい。ただし、リブを設けることにより治具からの力を治具受け部に確実に伝達でき、表皮材止着用クリップの取り外しを容易に行うことができる。治具受け部に治具を係止する手段は係止突起以外に、凹部等でもよく、治具受け部かフックのどちらに設けられてもよい。
【符号の説明】
【００４１】
１０，５４  表皮材止着用クリップ
１１  係止部
１２  係止爪
１４  係止爪基部
１４ａ  上面
１４ｂ  下面
１６  ストッパ
１８  フック
１８ａ  延出部
１８ｂ  フランジ部
１８ｃ  爪状部
１９  溝部
２０  治具受け部
２２  リブ
２４，５６  係合突部
２５  治具保持空間
２８  係止突起
２６  ガイドレバー
２６ａ  折曲部
２９  ガイド突起
３０  クッション材
３２  表皮材
３４  溝
３６  ワイヤ
４２  係止用端部材
４４  係止溝
４６  治具
【図１】
0003186511.tif 000003
【図２】
0003186511.tif 000004
【図３】
0003186511.tif 000005
【図４】
0003186511.tif 000006
【図５】
0003186511.tif 000007
【図６】
0003186511.tif 000008
【図７】
0003186511.tif 000009
【図８】
0003186511.tif 000010